(57)【特許請求の範囲】
【請求項１】
小根太入り床暖房パネルの上に複数の床材を設置して構成される床暖房装置において、床暖房パネルに床材を取り付けるために用いられる一対の結合材であって、
シート状磁石に粘着層を設けて成り、小根太側に取り付けられる第一の接合材と、
シート状磁石に粘着層を設けて成り、該第一の接合材と同一幅に構成し、床材側に取り付けられる第二の接合材と、を備え、
それぞれのシート状磁石を対向させて配置可能に構成し、かつ、
小根太に取り付けた第一の接合材の上に床材に取り付けた第二の接合材を載置し、床材をスライドさせて位置取りすることにより、床材の設置を可能に構成したことを特徴とする結合材。
【発明の詳細な説明】
【技術分野】
【０００１】
本発明は、床暖房パネルの上に床材を設置して構成される床暖房装置、及びこの床暖房装置に使用される床暖房パネル、床材、さらには、床暖房パネルの上に床材を設置するときに使用される結合材に関するものである。
【背景技術】
【０００２】
床暖房システムは、その快適性の故に急速に普及しつつある。床暖房システムは、熱源を有する床暖房用マット等の床暖房パネルをフローリング等の床材の下に敷き込んだ構造をしている。
【０００３】
従来行われてきた、床暖房パネルを床内に敷き込んで行う床暖房装置の施工例を図７に示す。１１は荒板と称される下地材料、１２は下地材料１の上面に引き込んだ床暖房パネル（マット）、１３は床暖房パネル１２内にあり、パイプを避けて入れた小根太、１４は温水パイプ、１５はフローリング床材、１６はフローリング床材１５を小根太１３及び下地材料１１に打ちつけている釘である。すなわち、本方式においては、フローリング床材１５を小根太１３及び下地材料１１に釘により固定している。
【０００４】
なお、従来技術の説明においては、本発明の実施の形態で述べるのと同じ構成要素を別の名称で呼んだり、従来技術同士で同じものを別の名称で呼ぶことがあるが、これは、従来技術の記載を尊重するためであり、別の名称で呼ばれるものが必ずしも異なったものであることを意味しない。
【０００５】
図８は、前記釘１６でフローリング床材５を打ちつける方式ではなく、耐熱性の接着剤１７を用いてフローリング床材１５を床暖房パネル１２及び小根太１３の上面に貼り付ける方式である。
【０００６】
しかし、上記従来の施工法においては次のような欠点がある。すなわち、フローリング床材１５を釘１６で打ちつける方式の場合、誤って床暖房パネル１２内の温水パイプ１４のところに釘１６を打ちつけてしまうことがある。また、多数の釘１６を打ちつけることになるため、施工に手間がかかる。
【０００７】
さらに、補修等のために、フローリング床材５を取り外そうとする場合、多数の釘が打ち込まれているため、取り外しに手間がかかるという問題点がある。
【０００８】
フローリング床材１５を接着剤１７を用いて貼りつける方式の場合、この接着剤１７は現場で缶を開けてハケ等を用いて塗布するため、作業が面倒であると共に塗布ムラが生じてフローリング床材１５が後で剥がれてしまうことがある。
【０００９】
さらに補修等のために一旦フローリング床材１５を剥がしてしまうと、接着剤の固まりが残って平らに再敷き込みができなくなる。また、床としての充分な固定強度を保つ程に接着力を強化すると、剥がす際にフローリング床材１５が破損してしまい、再利用できない。
【００１０】
このような問題点を解決する方法として、実開平３−１１７０４４号公報には、係合部材を用いて床材と床暖房パネルとを係合させて止める方法が開示されている。その方法を図９に示す。（ａ）に示すように、基材（下地材料）２２の上面に表層材（フローリング床材）２４を積層して形成してあり、基材２２を釘等の固定具２７によって根太２３のような床下地材に固着することで取り付けられるようにしてある。基材２２の上面には、床暖房パネル２１を取り付けてある。
【００１１】
表層材２４の下面には、係止部２５を設けてあり、基材２２の上面には、枠材２８の部分に係止部２５に係止される被係止部２６を設けてある。すなわち、表層材２４は、床暖房パネル２１を覆うように基材２２の上面に載置されると共に、係止部２５を被係止部２６に係止させることによって着脱自在とされている。
【００１２】
係止部２５と被係止部２６との取り付け位置として、（ｂ）に示すように、基材２２の周端部の複数箇所とされている。係止部２５と被係止部２６としては、（ｃ）に示すように、スプリングキャップと称される係止具２９を使用したものが示されている。
【００１３】
すなわち、係止部２５として表層材２４の下面より突起体２９ａを突設してあり、被係止部２６として枠材２８の上面に突起体２９ａが係合される凹部を有する受け具２９ｂを配設してある。突起体２９ａが受け具２９ｂの中に嵌り込むことによって係合が行われる。このようにすることで、表層材２４を床暖房パネル２１に取り付けるのが容易であると共に、取り外しが容易であるようにすることができる。
【先行技術文献】
【特許文献】
【００１４】
【特許文献１】実開平３−１１７０４４号公報
【発明の開示】
【発明が解決しようとする課題】
【００１５】
しかしながら、実開平３−１１７０４４号公報に示される方法には、以下のような問題点がある。すなわち、実際のフローリング等の床材（表層材）の断面は図１０に示すようになっており、床材３１の幅方向端部の片側に雄さね３１ａが、他側には雌さね３１ｂが設けられており、床材３１が敷き詰められたとき、隣り合う床材の雄さね３１ａと雌さね３１ｂが嵌り込んで、すべての床材３１が一体化して強固な構造となるようにされている。
【００１６】
このような床材３１を設置する場合には、新しい床材を既に設置済みの床材３１から離して配置し、その後、新しい床材をスライドさせて設置済みの床材とさねを係合させる必要がある。従って、図９（ｃ）に示すような係合部材を図９（ｂ）のような位置に設置したのでは、これらの係合部材の係合と、前記さねの係合の両方をうまく行うことが非常に困難であり、表層材２４を取り外すのも非常に困難である。
【００１７】
本発明はこのような事情に鑑みてなされたもので、さねを有するような床材を暖房パネルの上に設置する場合でも、床材の設置が容易で、かつ取り外しも容易な床暖房装置、及びそれに用いるのに好適な床暖房パネル、床材、さらには、床暖房パネルの上に床材を設置するときに使用される結合材を提供することを課題とする。
【課題を解決するための手段】
【００１８】
前記課題を解決するための第１の手段は、小根太入り床暖房パネルの上に複数の床材を設置して構成される床暖房装置であって、前記小根太と前記床材には、互いに係合可能であると共に、係合の解除が可能なレール状部材が設けられていることを特徴とする床暖房装置である。
【００１９】
本手段においては、床暖房用マットのような床暖房パネルの上に床材を設置する際には、小根太と床材に設けられたレール状部材を互いに係合させ、これらが係合した状態で、床材をスライドさせて、床材の雄さねと雌さねを係合させて、床材同士を連結する。すなわち、係合部材をレール状部材としたことにより、係合した状態でスライドが可能となり、従来技術のように、床材の設置が困難であるという問題が解消される。
【００２０】
床材を取り外すときは、床材をスライドさせて互いの雄さねと雌さねの係合を外した上で、床材を上に持ち上げれば、レール状部材の係合が外れるので、容易に取り外すことができ、かつ、そのまま再利用できる。
【００２１】
なお、「小根太入り床暖房パネルの上に複数の床材を設置して構成される」とは、単にこれだけの構成品で構成される床暖房装置のみを指すのでなく、このような構成品（例えば下地合板や断熱材）を含む床暖房システムを指すものである。
【００２２】
前記課題を解決するための第２の手段は、前記第１の手段である床暖房システムに使用可能な小根太入り床暖房パネルであって、当該小根太に、当該床暖房パネルの上に設置される床材に設けられた前記レール状部材と係合する、レール状部材が設けられていることを特徴とする床暖房パネルである。
【００２３】
前記課題を解決するための第３の手段は、前記第１の手段である床暖房システムに使用可能な床材であって、当該床材が設置される床暖房パネルの小根太に設けられた前記レール状部材と係合する、レール状部材が設けられていることを特徴とするものである。
【００２４】
これら第２の手段及び第３の手段は、前記第１の手段の部材として用いられたとき、前記第１の手段の説明で述べたような作用効果を奏することができる。
【００２５】
前記課題を解決するための第４の手段は、互いに係合可能であると共に、係合の解除が可能なレール状部材の一方が小根太に取り付けられ、他方がそれに係合した状態となっており、前記他方のレール状部材の前記小根太と反対側には床材取り付け用の平面部が設けられ、当該平面部には粘着層が設けられており、さらに、前記他方のレール状部材の長さは、その上に設置される床材の幅以下とされていることを特徴とする床暖房パネルである。
【００２６】
本手段に係る床暖房パネルに床材を設置する場合には、通常前記粘着層を保護するために粘着層の上に貼られているテープやシートを剥がして粘着層を剥き出しにし、その上に床材を貼り付ける。粘着層が設けられているレール状部材の長さは、床材の幅以下となっているので、レール状部材が床材からはみ出さないようにして、床材を貼り付けることができる。そして、その後、前記第１の手段の説明で述べたのと同じように、床材をスライドさせて、床材の雄さねと雌さねを係合させて、床材同士を連結する。
【００２７】
床材を取り外すときは、床材をスライドさせて互いの雄さねと雌さねの係合を外した上で、床材を上に持ち上げれば、粘着層で接着された部分は剥がれず、レール状部材の係合が外れるので、容易に取り外すことができ、かつ、そのまま再利用ができる。
【００２８】
前記課題を解決するための第５の手段は、床暖房パネルに床材を取り付けるために用いられる結合材であって、シート状磁石に粘着層を設けたことを特徴とする結合材である。
より詳細には、小根太入り床暖房パネルの上に複数の床材を設置して構成される床暖房装置において、床暖房パネルに床材を取り付けるために用いられる一対の結合材であって、シート状磁石に粘着層を設けて成り、小根太側に取り付けられる第一の接合材と、シート状磁石に粘着層を設けて成り、床材側に取り付けられる第二の接合材と、を備え、それぞれのシート状磁石を対向させて配置可能に構成したことを特徴とする結合材である。
【００２９】
本手段を用いて床暖房パネル上に床材を設置する場合には、通常粘着層を保護するために貼り付けられているテープやシートを剥がして、床暖房パネルと床材に貼り付ける。その上で、床暖房パネルの上面に位置することになったシート状磁石に、床材の裏面に位置することになったシート状磁石を対面させ、磁石同士が吸引して床暖房パネルと床材がくっついた状態で、床材をスライドさせて、床材の雄さねと雌さねを係合させて、床材同士を連結する。
【００３０】
床材を取り外すときは、床材をスライドさせて互いの雄さねと雌さねの係合を外した上で、床材を上に持ち上げれば、粘着層で接着された部分は剥がれず、シート状磁石同士が外れるので、容易に取り外すことができ、かつ、そのまま再利用ができる。
【発明の効果】
【００３１】
以上説明したように、本発明によれば、さねを有する床部材を暖房用マットの上に設置する場合においても、容易に設置することができ、かつ、床部材の取り外しや再取り付けを容易にすることができる。
【図面の簡単な説明】
【００３２】
【図１】本発明の実施の形態の一例である床暖房装置の概要を示す図である。
【図２】図１に示した温水マットを示す斜視図である。
【図３】図１に示した床部材を裏側から見た斜視図である。
【図４】本発明の実施の形態の一例である温水マットを示す図である。
【図５】図４に示された係合部を示す斜視図である。
【図６】本発明の実施の形態の一例である結合材の例を示す図である。
【図７】従来行われてきた、床暖房パネルを床内に敷き込んで行う床暖房装置の施工例を示す図である。
【図８】従来行われてきた、床暖房パネルを床内に敷き込んで行う床暖房装置の別の施工例を示す図である。
【図９】係合部材を用いて床材と床暖房パネルとを係合させて止める従来方法を示す図である。
【図１０】実際の床材の断面を示す図である。
【発明を実施するための形態】
【００３３】
以下、本発明の実施の形態の例を、図を用いて説明する。発明の実施の形態の欄においては、この欄中ですでに示された構成要素には同じ符合を付してその説明を省略することがある。図１は、本発明の実施の形態の一例である床暖房装置の概要を示す図であり、（ａ）は断面図、（ｂ）は、係合部分の部分拡大図である。
【００３４】
支持部材である下地合板１の上には、床暖房パネルの一種である温水マット２が敷き詰められている。温水マット２には、熱源である温水が流れる温水配管３が複数列に亘って設けられると共に、一定間隔（通常30.3cm）ごとに、補強のために小根太４が設けられている。小根太４には、その長さ方向（紙面の奥行き方向）に沿って、レール状の係合部材５の片側の部材（雌部材５ａ）が取り付けられている。
【００３５】
温水マット２の上に敷き詰められるフローリング等の床部材（特許請求の範囲の床材に相当）６は、図の左右方向に長い長さを持ち、紙面奥行き方向が幅方向となっている。そして、床部材６下面の、小根太４に対面する部分には、その幅方向に沿って、レール状の係合部材５の他の片側の部材（雄部材５ｂ）が取り付けられている。
【００３６】
レール状の係合部材５は、例えば図１（ｂ）に示すような断面形状をしており、塩化ビニルのような弾性を有する部材で構成されている。この係合部材５を係合させるには、雄部材５ｂを雌部材５ａの開口部に押し入れると、これらの弾性により雄部材５ｂの幅が縮まると共に雌部材５ａが押し広げられて、雄部材５ｂの中に嵌り込む。完全に嵌り込むと、図の係合部５ｃと５ｄが係合して、大きな力を加えないと係合が外れないようになる。しかし、係合部材はレール状であるので、その長さ方向（紙面の奥行き方向）には、容易にスライドが可能である。また、この係合は、強い力を加えることにより、雄部材５ｂを雌部材５ａが弾性変形し、どちらも壊れることがない状態で外すことができる。このようレール状係合部材としては、樹脂製の配線ダクトが市販されているので、これを使うのが好ましい。
【００３７】
図２は、図１に示した温水マット２を示す斜視図である。係合部材の雌部材５ａは、小根太４に沿って、その長さ分だけ長く延びている。図３は、図１に示した床部材６を裏側から見た斜視図である。係合部材の雄部材５ｂは、その幅方向に延びている。その幅方向の一端部には、雄さね６ａが、他端部には雌さね６ｂが設けられ、一つの床部材６の雄さね６ａが、隣り合う床部材の雌さね６ｂに嵌り込むことにより、隣同士の床部材が結合されるようになっている。
【００３８】
図１〜図３に示す温水マット２の上に床部材６を敷き詰めるには、まず、一つの床部材６の係合部材の各雄部材５ｂを、それぞれ対応する小根太６に設けられた雌部材５ａに押し込んで、係合部材５を係合させる。そして、その状態で床部材６をスライドして位置決めする。次に、位置決めされた床部材６に隣接する床部材を、位置決めされた床部材６から少し離して、同じように係合部材５を係合させる。そして、この床部材をスライドさせ、前記位置決めされた床部材との間で、雄さねと雌さねを係合させて結合する。これを繰り返すことにより、容易に全ての床部材６を温水マット２の上に敷き詰めることができる。
【００３９】
修理等のために床部材６を取り外す必要がある場合には、まず、一つの床部材６をスライドさせて、隣り合う床部材６とのさねの接合を外す。その上で、当該床部材を強い力で上方に持ち上げれば、係合部材５の係合が容易に外れ、当該床部材を取り外すことができる。これを繰り返して、必要なだけの床部材６の取り外しが可能である。
【００４０】
図４は、本発明の実施の形態の一例である温水マットを示す図である。（ａ）において支持部材である下地合板１の上には、床暖房パネルの一種である温水マット２が敷き詰められている。温水マット２には、熱源である温水が流れる温水配管が複数列に亘って設けられると共に、一定間隔（通常30.3cm）ごとに、補強のために小根太４が設けられている。この小根太４には、その長さ方向（紙面の奥行き方向）に沿って、レール状の係合部材５が取り付けられている。係合部材は、ｂ部の部分拡大図である（ｂ）に示すように、図１（ｂ）に示したような、雌部材５ａと雄部材５ｂが係合した状態で取り付けられている。雄部材５ｂの上方には平面上の部分が設けられており、そこに粘着テープ７が、雄部材の長さ方向に沿って取り付けられている。粘着テープ７の表面には、粘着層を保護するためのテープ（図示せず）が設けられている。
【００４１】
雌部材５ａは、小根太４に固着され、小根太４の長さ分だけの長さを有する。雄部材５ｂは、雌部材５ａに嵌り込んだ状態となっており、その長さは、その上に取り付けられることになる床部材６の幅以下とされている。
【００４２】
図５に、図４に示された係合部５の斜視図を示す。図５に示されるように、雄部材５ｂは、雌部材５ａの中をスライド可能であり、図５では、互いに雄部材５ｂ同士が離れている状態を示している。
【００４３】
このような構造の温水マット２に、床部材６を取り付けるには、まず、粘着テープ７の表面に貼り付けられたテープを剥がして、粘着層を剥き出しにする。そして、その上に、床部材６を乗せて押しつけ、接着剤により床部材６と雄部材５ｂとを接着する。その際、雄部材５ｂの長さは、床部材６の幅以下となっているので、雄部材５ｂが床部材６からはみださないようにすることができる。
【００４４】
このようにして、一つの床部材６を雄部材５ｂに接着した後、雄部材５ｂをスライドさせて床部材６の位置決めを行う。そして、同様にして次の床部材６を雄部材５ｂに接着し、雄部材５ｂをスライドさせて、床部材６同士のさねを係合させる。これを繰り返して、全部の床部材６の設置を完了する。
【００４５】
このようにして、一旦、床部材６と雄部材５ｂの接合が行われると、その接合力は雄部材５ｂと雌部材５ａの係合力より強いので、結局雄部材５ｂが床部材６に最初から取り付けられているのと同じことになる。よって、床部材６の取り外しや再取り付けについては、図１に示した実施の形態と同じ方法で行うことができる。
【００４６】
以上の説明においては、温水マット２側に設けられる方を雌部材、床部材６側に設けられる方を雄部材としたが、温水マット２側に設けられる方を雄部材、床部材６側に設けられる方を雌部材としてもよいことは言うまでもない。
【００４７】
図６は、本発明の実施の形態の一例である結合材の例を示す図である。接合材８ａは小根太４の幅を有し、温水マット２の長さ（図６の紙面に垂直な方向の長さ）に対応する長さを有するものであり、シート状磁石９ａの片面に粘着層７ａを設けたものである。接合材８ｂは、接合材８ａと同じ幅を有し、床部材６の幅と同じ長さ（図６の紙面に垂直な方向の長さ）を有するものであり、接合材シート状磁石９ｂの片面に粘着層７ｂを設けたものである。
【００４８】
すなわち、接着材８ａは、図５における雌部材５ａと同様の寸法を有し、接着材８ｂは、図５における雄部材５ａと同様の寸法を有している。この接合材８ａ、８ｂは磁石面で吸着された状態でセットとなり、温水マット２の上に床部材６を設置する際に用いられる。
【００４９】
この接合材８ａ、８ｂを使用して温水マット２の上に床部材６を設置する際には、まず、接合材８ａの粘着層７ａ上に貼り付けられているシート（図示せず）を剥がして粘着層７ａを剥き出しにする。そして、この粘着層７ａを、温水マット２の表面の小根太４に対応する部分に貼り付けて温水マット２に接着する。
【００５０】
次に、接着剤８ｂの粘着層７ｂの上に貼り付けられているシートを剥がして粘着層９ｂを剥き出しにした状態で、粘着層９ｂの上に床部材６を載置して接合材８ｂと床部材６を接合する。そして、シート状磁石９ａとシート状磁石９ｂの接触面をスライド面として、床部材６をスライドさせて位置決めする。次に、隣の床部材６に対して同様の処理を行い、隣の接合剤８ｂの上に載置し、同様に床部材６をスライドさせて、先に位置決めされた床部材６とさねを係合させる。これを繰り返して全部の床部材６の設置を完了する。
【００５１】
以上のような工程において、一旦結合材８ａ、８ｂがそれぞれ温水マット２、床部材６に接着されてしまうと、その接着力はシート状磁石９ａ、９ｂの吸引力より強いので、はじめから、シート状磁石９ａ、９ｂが、それぞれ温水マット２、床部材６に取り付けられているのと同じ状態になる。
【００５２】
なお、以上の説明においては、接合材８ａ、８ｂの幅は、小根太４の幅と同一としたが、必ずしも同一でなくてもよい。また、接合材８ａ、８ｂは、小根太４の上に設置するのが好ましいが、温水マット２の小根太４以外の部分の強度が十分ある場合には、小根太４以外の場所に設けてもよい。
【００５３】
よって、修理等により床部材を取り外すときは、一つの床部材６をシート状磁石９ａ、９ｂの吸引力による摩擦力に抗してスライドさせて隣の床部材６とのさね結合を外し、その上で、シート状磁石９ａ、９ｂの吸引力に抗して持ち上げれば、部材を破壊することなく取り外しができ、かつ、前述のような方法で再取り付けが可能である。
【００５４】
なお、この実施の形態では、結合材８ａ、８ｂをセットにして使用したが、必ずしもセットで使用する必要はなく、例えば、温水マットには、あらかじめシート状磁石９ａを別の方法で取り付けておき、床部材６に対してだけ結合材８ｂを使用するようにしてもよい。
【符号の説明】
【００５５】
１…下地合板、２…温水マット、３…温水配管、４…小根太、５…係合部材、５ａ…雌部材、５ｂ…雄部材、５ｃ、５ｄ…係合部、６…床部材、６ａ…雄さね、６ｂ…雌さね、７…粘着テープ、７ａ、７ｂ…粘着層、８ａ、８ｂ…接合材、９ａ、９ｂ…シート状磁石
【図１】
0004865824.tif 000002
【図２】
0004865824.tif 000003
【図３】
0004865824.tif 000004
【図４】
0004865824.tif 000005
【図５】
0004865824.tif 000006
【図６】
0004865824.tif 000007
【図７】
0004865824.tif 000008
【図８】
0004865824.tif 000009
【図９】
0004865824.tif 000010
【図１０】
0004865824.tif 000011